(57)【特許請求の範囲】
【請求項１】
第１のケースに第２のケースをねじにより結合して構成される本体内に、アンテナ取付部にアンテナを装着したホルダーを、前記アンテナが前記第２のケースが有する通信面部に対向するように収容してなる携帯型ＲＦＩＤリーダライタであって、
前記ホルダーに、前記アンテナ取付部を挟んだ両側のうちの一方側に位置して形成された位置決め用凹部および他方側に位置して形成された中空のボス部と、
前記第１のケースに形成され、前記ホルダーの前記位置決め用凹部内に差し込まれる凸部および前記ボス部の一端に当接される受け部と、
前記第２のケースに突出形成され、前記ボス部内に挿入される挿入部とを備え、
前記位置決め用凹部内に前記第１のケースの前記凸部を差し込むことによって、前記ボス部の一端が前記受け部に当接するように前記ホルダーを位置決めした状態で、前記ホルダーを前記第１のケースに組み付け、前記第２のケースの前記挿入部を前記ホルダーの前記ボス部内に挿入するように前記第２のケースを前記第１のケースに合わせた状態で、前記第１および第２のケースを前記ねじによって結合することにより、前記ホルダーを前記第２のケースと前記受け部との間で挟み込んで固定することを特徴とする携帯型ＲＦＩＤリーダライタ。
【請求項２】
前記受け部は、前記ホルダーの前記ボス部の一端に当接される一端側に、前記ボス部を受け入れるガイド部を突出形成していることを特徴とする請求項１記載の携帯型ＲＦＩＤリーダライタ。
【請求項３】
前記アンテナは、前記ホルダーの前記アンテナ取付部に、衝撃吸収部材を介して装着されていることを特徴とする請求項１または２記載の携帯型ＲＦＩＤリーダライタ。
【請求項４】
前記ホルダーに装着された前記アンテナと前記第２のケースの前記通信面部との間には、衝撃吸収部材が介在されていることを特徴とする請求項１ないし３のいずれかに記載の携帯型ＲＦＩＤリーダライタ。
【発明の詳細な説明】
【技術分野】
【０００１】
本発明は、第１のケースと第２のケースをねじによって結合して構成される本体内にアンテナを収容してなる携帯型ＲＦＩＤリーダライタに関するものである。
【背景技術】
【０００２】
例えば、ＩＣカードにより電子決済を行う場合、小売店などでは、ＩＣカードに対して非接触で読書きする携帯型ＲＦＩＤ（RadioFrequency Identification）リーダライタ（以下、単にリーダライタ）を用いている。このリーダライタは、通常、本体の内部に、ＩＣカードと無線通信するためのアンテナを収容して構成される（特許文献１参照）。
【特許文献１】特開２００８−９６８１号公報
【発明の開示】
【発明が解決しようとする課題】
【０００３】
特許文献１に記載された携帯型ＲＦＩＤリーダライタ（携帯型決済端末１）では、通信装置（符号１１で示されている。）を、リーダライタの本体の外部に取り付けており、あたかも通信装置のケースが本体の一部を構成する形態となっている。このように通信装置を本体に直接取り付けて通信装置のケースがリーダライタの外殻を構成する本体の一部となった形態のものでは、通信性能を確保することができる。しかしながら、このような形態では、通信装置のケース内に取り付けられたアンテナは、リーダライタの外殻の裏側に直接取り付けられた状態となり、耐衝撃性に劣るものとなる。
耐衝撃性の向上のために、アンテナをホルダーを介して本体の内部に収容する構成を採用することが考えられるが、このホルダーの固定を、ねじを使用して行う構造を採用すると、ホルダーを固定するために新たに設けられるねじ（通常、金属製）が電波に悪影響を及ぼし、通性性能が低下するという新たな問題を生ずる。
【０００４】
本発明は上記の事情に鑑みてなされたもので、その目的は、アンテナをホルダーを介して本体内に収容する構造の携帯型ＲＦＩＤリーダライタにおいて、通信性能の低下を防止しながらホルダーを本体に固定できる携帯型ＲＦＩＤリーダライタを提供することにある。
【課題を解決するための手段】
【０００５】
請求項１では、アンテナを装着したホルダーを、位置決め状態で第１のケース内に組み付け、第２のケースを第１のケースに結合することにより、ホルダーを第１のケースと第２のケースとの間で挟み込んで固定するので、本来、第１のケースと第２のケースとを結合するために使用されるねじを利用してホルダーを固定できる。この結果、ホルダーを固定するためだけの専用のねじを使用せずとも済み、耐衝撃性と通信性の両方を確保することができる。
【０００６】
請求項２では、第１のケースの受け部の一端部に、ホルダーのボス部を受け入れるガイド部を突設したので、ホルダーを第１のケースに組み付ける際の組み付け作業性が向上する。
請求項３では、アンテナがホルダーのアンテナ取付部に衝撃吸収部材を介して装着されているので、耐衝撃性の更なる向上を図ることができる。
請求項４では、アンテナと第２のケースの通信面部との間に衝撃吸収部材が介在されているので、一層の耐衝撃性の向上を図ることができる。
【発明を実施するための最良の形態】
【０００７】
以下、本発明の第１の実施形態を図１〜図６に基づいて説明する。図２は携帯型ＲＦＩＤリーダライタの概略構成を断面にて示すもので、この図２の携帯型ＲＦＩＤリーダライタ（以下、単にリーダライタという。）１は、本体２内に、アンテナ３を装着したホルダー４、図示しない基板などを収容して構成されている。本実施形態のリーダライタ１は、バーコード読取装置を兼用するタイプとなっており、本体２には、各種のキースイッチ５や液晶画面６（図３参照）などを備えた手持部７、バーコードを光学的に読み取るための読取口部８、ＩＣカードと通信して読み書きするための通信面部９などが設けられている。
【０００８】
本実施形態のリーダライタ１では、バーコードの読み取り時には、手持部７を手にもって読取口部８をバーコードの表示部分にあてがう。このとき、読取口部８をバーコードの表示部分に宛がい易くするために、読取口部８が設けられた本体２の先端部分は、「へ」の字形に屈曲する形態をなしている。そして、この「へ」の字形の屈曲部分の外側の面が前記通信面部９とされており、ＩＣカードに対して読み書きする場合には、手持部７を手に持って通信面部９をＩＣカードにかざしたり、或いは読取口８が下となるように本体２を机上に置いた状態にして斜め上向きとなった通信面部９にＩＣカードをかざしたりする。
なお、本体２内に収納された図示しない基板には、通信機を構成する電気電子部品、ＩＣカードに対する読み書きをするリードライト装置を構成するための電気電子部品、バーコード読取装置を構成するための電気電子部品などが搭載されている。
【０００９】
さて、本体２内に収容されたホルダー４は、アンテナ３を若干の隙間Ｇをもって上記通信面部９に対向させるようにして固定されている。ここで、このホルダー４の固定構成につき説明する。まず、以下の説明をし易くするために、リーダライタ１において、手持部７のある方が後、読取口部８や通信面部９のある方が前、そして、前から見て左の方および右の方が左であり右であるとする。また、読取口部８が下向きとなるように本体２を手に持ったとき、下側となる方を下、上側となる方を上であるとする。
前記本体２は、下側の下ケース（第１のケース）１０と、上側の上ケース１１とを複数本のねじ１２によって結合して構成される。これら両ケース１０，１１は、共にプラスチック製で、前記キースイッチ５、液晶画面６、通信面部９は上ケース１１に設けられている。前記読取口部８は、角筒状に形成されて下ケース１０の先端部に固着されている。
【００１０】
一方、ホルダー４はプラスチックにより「へ」の字形に形成され、本体２内に、通信面部９から当該通信面部９に隣接する液晶画面６の配置部にわたる部位に位置するように配設されている。このホルダー４のうち、本体２の通信面部９に対向する部位は、アンテナ取付部１３とされ、このアンテナ取付部１３に前記アンテナ３がねじを用いることなく装着されている。本実施形態では、このアンテナ取付部１３へのアンテナ３の装着は、発泡基材、例えば発泡性プラスチック製のスポンジ状基材の両面に接着剤を塗布してなる両面接着部材（衝撃吸収部材）１４よる接着によって行われている。
【００１１】
図３〜図５に示すように、ホルダー４のアンテナ取付部１３を挟む両側、例えば前後両側のうちの前側には、位置決め用突部としての突片１５が左右方向に並列する状態で複数個突設されており、この突片１５には、下向きに開放するＵ字形の位置決め用凹部１６が形成されている。この突片１５に対応して、下ケース１０には、左右方向に延びる凸部としてのリブ１７が上向きに突設されている。なお、図３〜図５では、アンテナ３は図示していない。
【００１２】
また、ホルダー４のアンテナ取付部１３を挟む前後両側のうちの後側の左右両端部には、中空円筒状のボス部１８が突設されている。更に、ホルダー４の後端部の左右両側にも、同様のボス部１９が形成されている。なお、ホルダー４の後端部のボス部１９のうち、左側に位置するボス部１９は、ほぼ半割りの円筒状をなしている。そして、下ケース１０には、アンテナ取付部１３の後側のボス部１８に対応して円筒状の受け部２０が突設されていると共に、ホルダー４の後端部のボス部１９に対応して同じく円筒状の受け部２１が突設されており、これら受け部２０，２１の一端たる上端には、それぞれホルダー４のボス部１８，１９の一端たる下端が当接するようになっている。
【００１３】
上ケース１１には、ホルダー４のボス部１８，１９内に挿入される挿入部２２，２３が突設されている。この挿入部２２，２３の根元部分には、図１および図６に示すように、その根元部分と上ケース１１の側面部１１ａとを繋ぐように補強リブ（押え部）２４が形成されている。なお、補強リブ２４は、挿入部２２のもののみ図示した。そして、下ケース１０にホルダー４と上ケース１１を順に組み付けてゆくと、上ケース１１の挿入部２２，２３がホルダー４のボス部１８，１９内に挿入され、補強リブ２４がホルダー４のボス部１８，１９に当接したところで下ケース１０と上ケース１１とが正規の組み合わせ状態となるように構成されている。
【００１４】
この正規の組み合わせ状態においては、上ケース１１の挿入部２２，２３は、ホルダー４のボス部１８，１９を貫通して下ケース１０の受け部２０，２１の上端部内に挿入された状態となる。この受け部２０，２１内には、その上端近くに位置してリング状の座部２０ａ，２１ａが形成されている。そして、受け部２０，２１内には、その下側の開口部から前記ねじ１２が挿入されるようになっており、このねじ１２を上ケース１１の挿入部２２，２３に螺着することによって下ケース１０と上ケース１１とが結合される。
なお、ねじ１２による下ケース１０と上ケース１１の結合のために、ねじ１２による受け部２０，２１と挿入部２２，２３との結合構成と同様の結合構成の中空突子２５と螺合突子２６がホルダー４のボス部１８，１９に対応する部分以外の部位（例えば後部）に形成されている。
【００１５】
次に上記構成において、下ケース１０とホルダー４と上ケース１１とを組み付ける手順を説明する。まず、下ケース１０を作業台上に載置する。次に、アンテナ３を装着したホルダー４を手に持って、突片１５の位置決め用凹部１６内に下ケース１０のリブ１７が差し込まれるようにする。この位置決め用凹部１６へのリブ１７の差し込みによってホルダー４の位置決めが行われるので、この位置決め状態で、リブ１７を中心にホルダー４を下方に回動させ、ホルダー４のボス部１８，１９を下ケース１０の受け部２０，２１に当接させる。
【００１６】
次いで、上ケース１１を手に持ち、挿入部２２，２３および螺合突子２６をそれぞれホルダー４のボス部１８，１９および中空突子２５内に挿入するようにして上ケース１１を下ケース１０に合わせるようにする。すると、挿入部２２，２３がボス部１８，１９に挿入されて下端がボス部１８，１９内に挿入されるようになる。その後、下ケース１０と上ケース１１とを合わせた状態のまま、それらを上下逆にして作業台上に置き、受け部２０，２１および中空突子２５内にそれぞれねじ１２を挿入してそれらねじ１２を挿入部２２，２３および螺合突子２６にねじ込んでゆく。すると、挿入部２２，２３および螺合突子２６が受け部２０，２１および中空突子２５に締め付け固定されると共に、図１に示すように、上ケース１１の補強リブ２４がホルダー４のボス部１８，１９に当接して該ボス部１８，１９を受け部２０，２１との間に締め付け固定する。以上により、下ケース１０、上ケース１１、ホルダー４が結合される。
【００１７】
このように本実施形態によれば、アンテナ３をホルダー４を介して本体２内に固定するようにしたので、実使用時に本体２を落としてしまったとしても、本体２に加わる衝撃がホルダー４により吸収されて直接的にアンテナ３に作用することがなくなり、耐衝撃性が向上する。特に、本実施形態では、アンテナ３を基材が発泡性材料からなる両面接着部材１４により接着したので、両面接着部材１４の衝撃吸収作用によって耐衝撃性が一層向上する。
【００１８】
また、ホルダー４を本体２に固定する場合、ホルダー４それ自身を固定する専用のねじを新たに設けるのではなく、下ケース１０と上ケース１１とを結合するために従来から用いられている両ケース１０，１１の結合用のねじ１２を締め付けることによって、同時にホルダー４が下ケース１０と上ケース１１との間に挟みつけられて固定される構造であるから、ホルダー４の固定のために更に別のねじを用いる場合に比べて、アンテナ３の通信性に悪影響を与えることがない。
【００１９】
図７は本発明の第２の実施形態を示すもので、上記第１の実施形態との相違は、受け部２０，２１の上端部外周に、ボス部１８，１９を受け部２０，２１の上端面に案内するための複数のガイド片（ガイド部）２０ｂ，２１ｂを突設したところにある。これらガイド片２０ｂ，２１ｂの上端部内側は斜めに切り欠かれていて、ホルダー４を下ケース１０に組み付ける際、ボス部１８，１９がガイド片２０ｂ，２１ｂのガイド作用によって当該ガイド片２０ｂ，２１ｂ内に円滑に受け入れられて受け部２０，２１に当接する。このため、ホルダー４の組み付け性が向上する。
【００２０】
図８は本発明の第３の実施形態を示すもので、第２の実施形態のガイド片２０ｂ，２１ｂに換えて、円筒状ガイド部２０ｃ、２１ｃとしたところにある。この円筒状ガイド部２０ｃ、２１ｃの上端部内周はテーパ状に形成されてボス部１８，１９を受け入れ易くしている。
【００２１】
なお、本発明は上記し且つ図面に示す実施形態に限定されるものではなく、以下のような拡張或いは変更が可能である。
ホルダー４の位置決め用凹部は、第１の実施形態に示したように、突片１５を突設してこれに形成するものに限られず、ホルダー４の下面部分に直接溝を形成してこれを位置決め用凹部とする構成であっても良い。
ホルダー４のボス部１８，１９を下ケース１０の受け部２０，２１に押し付けて固定する手段は、上ケース１１の補強リブ２４に限られず、ホルダー４の両ボス部１８，１９の中間の部分を押圧する部分を上ケース１１に設け、これによってホルダー４を下方に押圧し、その結果、ボス部１８，１９が受け部２０，２１に押し付けられて固定されるように構成しても良い。
上ケース１１の通信面部９とアンテナ３との間に発泡プラスチックなどクッション性を有する衝撃吸収部材を介在させるようにしても良い。これによれば、その衝撃吸収部材の作用によってアンテナ３の耐衝撃性をより一層向上させることができる。
リーダライタ１は、バーコード読取機能を備えていないものであっても良い。
【図面の簡単な説明】
【００２２】
【図１】本発明の第１の実施形態を示す要部の縦断正面図
【図２】全体の縦断側面図
【図３】分解して上から見た斜視図
【図４】分解して下から見た斜視図
【図５】ホルダーと下ケースの部分的な分解斜視図
【図６】上ケースの要部の拡大斜視図
【図７】本発明の第２の実施形態を示す受け部の斜視図
【図８】本発明の第３の実施形態を示す受け部の斜視図
【符号の説明】
【００２３】
図面中、２は本体、３はアンテナ、４はホルダー、８は読取口、９は通信面部、１０は下ケース（第１のケース）、１１は上ケース（第２のケース）、１２はねじ、１３はアンテナ取付部、１４は両面接着部材（衝撃吸収部材）、１５は突片、１６は位置決め用凹部、１７はリブ（凸部）、１８，１９はボス部、２０，２１は受け部、２０ｂ，２０ｃ，２１ｂ，２１ｃはガイド部、２２，２３は挿入部、２４は補強リブ、２５は中空突子、２６は螺合突子を示す。
【図１】
0004952609.tif 000002
【図２】
0004952609.tif 000003
【図３】
0004952609.tif 000004
【図４】
0004952609.tif 000005
【図５】
0004952609.tif 000006
【図６】
0004952609.tif 000007
【図７】
0004952609.tif 000008
【図８】
0004952609.tif 000009